(57)【要約】      （修正有）【課題】吊り天井の構造における、大重量で、柔軟性がなく、脱落しやすい欠点を解決する吊り天井の耐震エコ構造を提供する。【解決手段】耐震性と環境保護に優れた吊り天井の構造であり、耐震エコ・ボード１と軽量鋼フレーム３とからなり、該軽量鋼フレーム３に難燃発泡プラスチックで製造した耐震エコ・ボード１を固定することにより構成される。この構造は合理的な設計であり、吊り天井とフレームの固定は堅固であり、柔軟性が高く、脱落しにくい構造である。【選択図】図１
0003177473.tif 000002
【実用新案登録請求の範囲】
【請求項１】
耐震性と環境保護に優れた吊り天井の構造であり、耐震ボードと軽量鋼フレームとからなり、該軽量鋼フレームに難燃発泡プラスチックで製造した耐震ボードを固定することにより構成されることを特徴とする吊り天井の耐震エコ構造。
【請求項２】
前記軽量鋼フレームにネジで耐震ボードを固定することより構成されることを特徴とする請求項１に記載の吊り天井の耐震エコ構造。
【請求項３】
前記軽量鋼フレームにボルトで耐震ボードを固定することより構成されることを特徴とする請求項１に記載の吊り天井の耐震エコ構造。
【請求項４】
前記耐震ボードの表面に壁紙を貼ることを特徴とする請求項１に記載の吊り天井の耐震エコ構造。
【請求項５】
前記耐震ボードの表面に塗料を塗布することを特徴とする請求項１に記載の吊り天井の耐震エコ構造。
【請求項６】
前記軽量鋼フレームに耐震ボードを固定するためのネジを均等に配置されることを特徴とする請求項１から５のいずれかに記載の吊り天井の耐震エコ構造。
【請求項７】
前記耐震ボードを固定するためのネジは位置によって、軽量鋼フレームに密集的或は分散的に配置されることを特徴とする請求項１から５のいずれかに記載の吊り天井の耐震エコ構造。
【請求項８】
前記耐震ボードの重心点、或は周縁で、軽量鋼フレームにネジが密集的に配置されることを特徴とする請求項７に記載の吊り天井の耐震エコ構造。
【請求項９】
前記軽量鋼フレームは形鋼から構成され、建物と一体としてなることを特徴とする請求項１から５のいずれかに記載の吊り天井の耐震エコ構造。
【考案の詳細な説明】
【技術分野】
【０００１】
本考案は建物の建築技術分野に属し、特に耐震性と環境保護に優れた吊り天井の耐震エコ構造に関する。
【背景技術】
【０００２】
現在、低層住宅、ビルディング、オフィスビルディング、学校、映画館等建物に使用する吊り天井の材料は、厚さ９．５ｍｍ或いは厚さ１２．５ｍｍの石膏ボードからなり、その石膏ボードを形鋼より構成されたフレームにネジで固定している。
【０００３】
厚さ９．５ｍｍの石膏ボード（９１０ｍｍ×１８２０ｍｍ）１枚の重さは１１．３ｋｇである。
【０００４】
厚さ１２．５ｍｍの石膏ボード（９１０ｍｍ×１８２０ｍｍ）１枚の重さは１４ｋｇである。
【０００５】
例えば、１０ｍ２の面積で、石膏ボードの使用量は５枚となり、厚さ９．５ｍｍのものの場合の総重量は５７ｋｇ、厚さ１２．５ｍｍのものの場合の総重量は７０ｋｇとなる。
【０００６】
また、使用する用途により、２、３、４層の石膏ボードを貼る場合もある。
【０００７】
新築ビルディングは耐震設計であり、建物自体は固く堅固であるが、内部の吊り天井に使用した石膏ボードは重みがあり、柔軟性を備えていないので、地震の際に脱落する可能性が高い。
【０００８】
実際に、福島沖大地震で吊り天井が落下することにより負傷、死亡する事件があった。
【考案の概要】
【考案が解決しようとする課題】
【０００９】
本考案の目的は、吊り天井の耐震エコ構造を開示することにより、従来の吊り天井の構造における、大重量で、柔軟性がなく、脱落しやすい欠点を解決する。この構造は合理的な設計であり、吊り天井とフレームの固定は堅固であり、柔軟性が高く、脱落しにくい構造である。
【課題を解決するための手段】
【００１０】
以下、本考案に採用した技術方法を説明する。
【００１１】
本考案に係る耐震性と環境保護に優れた吊り天井の構造は、耐震エコ・ボードと軽量鋼フレームとからなり、該軽量鋼フレームに難燃発泡プラスチックで製造した耐震ボードを固定することにより構成される。
【００１２】
本考案の技術方法によれば、吊り天井は前記軽量鋼フレームにネジで耐震ボードを固定することが望ましい。
【００１３】
本考案の技術方法によれば、吊り天井は前記軽量鋼フレームにボルトで耐震ボードを固定することが望ましい。
【００１４】
本考案の技術方法によれば、前記耐震ボードの表面に壁紙を貼ることが望ましい。
【００１５】
本考案の技術方法によれば、前記耐震ボードの表面に塗料を塗布することが望ましい。
【００１６】
本考案の技術方法によれば、前記軽量鋼フレームに耐震ボードを固定するためのネジを均等に配置されることが望ましい。
【００１７】
本考案の技術方法によれば、前記耐震ボードを固定するためのネジは位置によって、軽量鋼フレームに密集的或は分散的に配置されることが望ましい。
【００１８】
本考案の技術方法によれば、前記耐震ボードの重心点、或は周縁で、軽量鋼フレームにネジが密集的に配置されることが望ましい。
【００１９】
本考案の技術方法によれば、前記軽量鋼フレームは形鋼から構成され、建物と一体としてなることが望ましい。
【００２０】
本考案に係る吊り天井の耐震エコ構造によれば、合理的な設計であり、吊り天井とフレームの固定は堅固であり、柔軟性が高く、脱落しにくい効果がある。
【００２１】
また、本吊り天井は難燃発泡プラスチックから製造され、柔軟性が高く、耐震効果が良好で、脱落しにくく、優れた断熱性及び遮音性を有し、軽重量で落下しても重大な事故を免れ、施工がしやすいという利点がある。
【図面の簡単な説明】
【００２２】
【図１】本考案に係る吊り天井の耐震エコ構造の実施例の略図である。
【図２】本考案に係る吊り天井の耐震エコ構造のもう一つ実施例の略図である。
【図３】本考案に係る吊り天井の耐震エコ構造の耐震ボードの実施例に関する平面略図である。
【図４】本考案に係る吊り天井の耐震エコ構造の耐震ボードのもう一つ実施例に関する平面略図である。
【考案を実施するための形態】
【００２３】
以下、図面とともに本考案に係る好適な実施方法につき、さらに詳細に説明する。
【００２４】
（実施例１）
図１に示すように、本考案の実施例に係る吊り天井の耐震エコ構造は、耐震ボード１と軽量鋼フレーム３とからなり、前記軽量鋼フレーム３は形鋼より構成され、建物と一体としてなり、前記軽量鋼フレーム３にネジ２で耐震ボード１を固定することから構成する。耐震ボード１は、柔軟性が高く、かつ、優れた耐震効果があり、脱落しにくく、優れた断熱性と遮音性とを有し、軽重量で落下しても重大な事故を免れ、施工がしやすい。
【００２５】
本実施例において、前記軽量鋼フレーム３に耐震ボード１を固定するためのネジ２は均等に配置される。
【００２６】
また、本実施例において、前記耐震ボード１を固定するためのネジ２は位置によって、軽量鋼フレーム３に密集的或は分散的に配置され、特に耐震ボード１の重心点或は周縁で、軽量鋼フレーム３にネジ２が密集的に配置される。
【００２７】
（実施例２）
軽量鋼フレーム３と耐震ボード１の連結固定の堅固性を向上するため、図２に示すように、吊り天井は軽量フレーム３にボルト４で耐震ボードを固定する。
【００２８】
本実施例において、前記ボルト４の位置は実施例１と同様である。
【００２９】
実施例１と２において、吊り天井の美観を改善するため、図３に示したように、耐震ボード１の表面に壁紙５を貼るか、又は実施例において、その他の柄や色の壁紙５も選択できる。
【００３０】
実施例１と２において、吊り天井の美観を改善するため、図４に示すように、耐震ボード１の表面に塗料６を塗布し、又は実施例において、その他の色の塗料６を塗布することもでき、或は塗料６を用いて様々な柄模様に塗布することも可能である。
【００３１】
前記耐震ボードは難燃発泡プラスチックから構成される。
【００３２】
一般的なポリスチロール発泡プラスチックは熱によって溶解或は燃焼されるが、難燃発泡プラスチックは熱によって溶解しないので、２００℃の高温下でも燃焼せず、優れた難燃性、断熱性及び遮音性を有している。
【００３３】
以上の内容は、当該技術分野の技術者に対し本考案を理解させ、応用させるため、具体的で最適な実施方法と結びつけ、本考案をさらに詳細に説明したものである。本考案に属する技術分野の通常の技術者は本考案の精神を逸脱しない範囲で、創造力を働かせなくても容易に推断演繹し、或は代替することができる。それゆえ、本技術分野の技術者が本考案で公開されたものに基づき、本考案に対し簡単な改良をすることも本考案の保護範囲内に含まれる。
【符号の説明】
【００３４】
１  耐震ボード
２  ネジ
３  軽量鋼フレーム
４  ボルト
５  壁紙
６  塗料
【図１】
0003177473.tif 000003
【図２】
0003177473.tif 000004
【図３】
0003177473.tif 000005
【図４】
0003177473.tif 000006
【手続補正書】
【提出日】平成24年5月30日(2012.5.30)
【手続補正１】
【補正対象書類名】明細書
【補正対象項目名】全文
【補正方法】変更
【補正の内容】
【考案の詳細な説明】
【技術分野】
【０００１】
本考案は建物の建築技術分野に属し、特に耐震性と環境保護に優れた吊り天井の耐震エコ構造に関する。
【背景技術】
【０００２】
現在、低層住宅、ビルディング、オフィスビルディング、学校、映画館等建物に使用する吊り天井の材料は、厚さ９．５ｍｍ或いは厚さ１２．５ｍｍの石膏ボードからなり、その石膏ボードを形鋼より構成されたフレームにネジで固定している。
【０００３】
厚さ９．５ｍｍの石膏ボード（９１０ｍｍ×１８２０ｍｍ）１枚の重さは１１．３ｋｇである。
【０００４】
厚さ１２．５ｍｍの石膏ボード（９１０ｍｍ×１８２０ｍｍ）１枚の重さは１４ｋｇである。
【０００５】
例えば、１０ｍ２の面積で、石膏ボードの使用量は５枚となり、厚さ９．５ｍｍのものの場合の総重量は５７ｋｇ、厚さ１２．５ｍｍのものの場合の総重量は７０ｋｇとなる。
【０００６】
また、使用する用途により、２、３、４層の石膏ボードを貼る場合もある。
【０００７】
新築ビルディングは耐震設計であり、建物自体は固く堅固であるが、内部の吊り天井に使用した石膏ボードは重みがあり、柔軟性を備えていないので、地震の際に脱落する可能性が高い。
【０００８】
実際に、福島沖大地震で吊り天井が落下することにより負傷、死亡する事件があった。
【考案の概要】
【考案が解決しようとする課題】
【０００９】
本考案の目的は、吊り天井の耐震エコ構造を開示することにより、従来の吊り天井の構造における、大重量で、柔軟性がなく、脱落しやすい欠点を解決する。この構造は合理的な設計であり、吊り天井とフレームの固定は堅固であり、柔軟性が高く、脱落しにくい構造である。
【課題を解決するための手段】
【００１０】
以下、本考案に採用した技術方法を説明する。
【００１１】
本考案に係る耐震性と環境保護に優れた吊り天井の構造は、耐震エコ・ボードと軽量鋼フレームとからなり、該軽量鋼フレームに難燃発泡プラスチックで製造した耐震エコ・ボードを固定することにより構成される。
【００１２】
本考案の技術方法によれば、吊り天井は前記軽量鋼フレームにネジで耐震エコ・ボードを固定することが望ましい。
【００１３】
本考案の技術方法によれば、吊り天井は前記軽量鋼フレームにボルトで耐震エコ・ボードを固定することが望ましい。
【００１４】
本考案の技術方法によれば、前記耐震エコ・ボードの表面に壁紙を貼ることが望ましい。
【００１５】
本考案の技術方法によれば、前記耐震エコ・ボードの表面に塗料を塗布することが望ましい。
【００１６】
本考案の技術方法によれば、前記軽量鋼フレームに耐震エコ・ボードを固定するためのネジを均等に配置されることが望ましい。
【００１７】
本考案の技術方法によれば、前記耐震エコ・ボードを固定するためのネジは位置によって、軽量鋼フレームに密集的或は分散的に配置されることが望ましい。
【００１８】
本考案の技術方法によれば、前記耐震エコ・ボードの重心点、或は周縁で、軽量鋼フレームにネジが密集的に配置されることが望ましい。
【００１９】
本考案の技術方法によれば、前記軽量鋼フレームは形鋼から構成され、建物と一体としてなることが望ましい。
【００２０】
本考案に係る吊り天井の耐震エコ構造によれば、合理的な設計であり、吊り天井とフレームの固定は堅固であり、柔軟性が高く、脱落しにくい効果がある。
【００２１】
また、本吊り天井は難燃発泡プラスチックから製造され、柔軟性が高く、耐震効果が良好で、脱落しにくく、優れた断熱性及び遮音性を有し、軽重量で落下しても重大な事故を免れ、施工がしやすいという利点がある。
【図面の簡単な説明】
【００２２】
【図１】本考案に係る吊り天井の耐震エコ構造の実施例の略図である。
【図２】本考案に係る吊り天井の耐震エコ構造のもう一つ実施例の略図である。
【図３】本考案に係る吊り天井の耐震エコ構造の耐震エコ・ボードの実施例に関する平面略図である。
【図４】本考案に係る吊り天井の耐震エコ構造の耐震エコ・ボードのもう一つ実施例に関する平面略図である。
【考案を実施するための形態】
【００２３】
以下、図面とともに本考案に係る好適な実施方法につき、さらに詳細に説明する。
【００２４】
（実施例１）
図１に示すように、本考案の実施例に係る吊り天井の耐震エコ構造は、耐震エコ・ボード１と軽量鋼フレーム３とからなり、前記軽量鋼フレーム３は形鋼より構成され、建物と一体としてなり、前記軽量鋼フレーム３にネジ２で耐震エコ・ボード１を固定することから構成する。耐震エコ・ボード１は、柔軟性が高く、かつ、優れた耐震効果があり、脱落しにくく、優れた断熱性と遮音性とを有し、軽重量で落下しても重大な事故を免れ、施工がしやすい。
【００２５】
本実施例において、前記軽量鋼フレーム３に耐震エコ・ボード１を固定するためのネジ２は均等に配置される。
【００２６】
また、本実施例において、前記耐震エコ・ボード１を固定するためのネジ２は位置によって、軽量鋼フレーム３に密集的或は分散的に配置され、特に耐震エコ・ボード１の重心点或は周縁で、軽量鋼フレーム３にネジ２が密集的に配置される。
【００２７】
（実施例２）
軽量鋼フレーム３と耐震エコ・ボード１の連結固定の堅固性を向上するため、図２に示すように、吊り天井は軽量フレーム３にボルト４で耐震エコ・ボードを固定する。
【００２８】
本実施例において、前記ボルト４の位置は実施例１と同様である。
【００２９】
実施例１と２において、吊り天井の美観を改善するため、図３に示したように、耐震エコ・ボード１の表面に壁紙５を貼るか、又は実施例において、その他の柄や色の壁紙５も選択できる。
【００３０】
実施例１と２において、吊り天井の美観を改善するため、図４に示すように、耐震エコ・ボード１の表面に塗料６を塗布し、又は実施例において、その他の色の塗料６を塗布することもでき、或は塗料６を用いて様々な柄模様に塗布することも可能である。
【００３１】
前記耐震エコ・ボードは難燃発泡プラスチックから構成される。
【００３２】
一般的なポリスチロール発泡プラスチックは熱によって溶解或は燃焼されるが、難燃発泡プラスチックは熱によって溶解しないので、２００℃の高温下でも燃焼せず、優れた難燃性、断熱性及び遮音性を有している。
【００３３】
以上の内容は、当該技術分野の技術者に対し本考案を理解させ、応用させるため、具体的で最適な実施方法と結びつけ、本考案をさらに詳細に説明したものである。本考案に属する技術分野の通常の技術者は本考案の精神を逸脱しない範囲で、創造力を働かせなくても容易に推断演繹し、或は代替することができる。それゆえ、本技術分野の技術者が本考案で公開されたものに基づき、本考案に対し簡単な改良をすることも本考案の保護範囲内に含まれる。
【符号の説明】
【００３４】
１  耐震エコ・ボード
２  ネジ
３  軽量鋼フレーム
４  ボルト
５  壁紙
６  塗料
【手続補正２】
【補正対象書類名】実用新案登録請求の範囲
【補正対象項目名】全文
【補正方法】変更
【補正の内容】
【実用新案登録請求の範囲】
【請求項１】
耐震性と環境保護に優れた吊り天井の構造であり、耐震エコ・ボードと軽量鋼フレームとからなり、該軽量鋼フレームに難燃発泡プラスチックで製造した耐震エコ・ボードを固定することにより構成されることを特徴とする吊り天井の耐震エコ構造。
【請求項２】
前記軽量鋼フレームにネジで耐震エコ・ボードを固定することより構成されることを特徴とする請求項１に記載の吊り天井の耐震エコ構造。
【請求項３】
前記軽量鋼フレームにボルトで耐震エコ・ボードを固定することより構成されることを特徴とする請求項１に記載の吊り天井の耐震エコ構造。
【請求項４】
前記耐震エコ・ボードの表面に壁紙を貼ることを特徴とする請求項１に記載の吊り天井の耐震エコ構造。
【請求項５】
前記耐震エコ・ボードの表面に塗料を塗布することを特徴とする請求項１に記載の吊り天井の耐震エコ構造。
【請求項６】
前記軽量鋼フレームに耐震エコ・ボードを固定するためのネジを均等に配置されることを特徴とする請求項１から５のいずれかに記載の吊り天井の耐震エコ構造。
【請求項７】
前記耐震エコ・ボードを固定するためのネジは位置によって、軽量鋼フレームに密集的或は分散的に配置されることを特徴とする請求項１から５のいずれかに記載の吊り天井の耐震エコ構造。
【請求項８】
前記耐震エコ・ボードの重心点、或は周縁で、軽量鋼フレームにネジが密集的に配置されることを特徴とする請求項７に記載の吊り天井の耐震エコ構造。
【請求項９】
前記軽量鋼フレームは形鋼から構成され、建物と一体としてなることを特徴とする請求項１から５のいずれかに記載の吊り天井の耐震エコ構造。